(57)【要約】【課題】  画像表示部に表示されている画像に対するプリント領域の設定作業を効率良く行うことができる画像処理装置を提供すること。【解決手段】  デジタル画像データを入力する画像入力部１，２と、入力された画像データを表示させるモニター９と、表示されている画像について、プリントされる領域を設定する領域設定手段４３と、設定された領域の画像データ部分を指定されたプリントサイズの画像データとなるようにデータ処理を行う画像処理基板５と、領域設定手段４３により設定された設定データを保存するデータ保存部３と、画像とは異なる画像に対して、保存されている設定データを複写して使用可能とするデータ複写手段４４とを備えている。【選択図】  図１
2005311678.tif 000002
【特許請求の範囲】
【請求項１】
デジタル画像データを入力するための画像入力部と、
入力された画像データを表示させる画像表示部と、
表示されている画像について、プリントされる領域を設定する領域設定手段と、
設定された領域の画像データ部分を指定されたプリントサイズの画像データとなるようにデータ処理を行う画像処理部と、
前記領域設定手段により設定された設定データを保存するデータ保存部と、
前記画像とは異なる画像に対して、保存されている設定データを複写して使用可能とするデータ複写手段とを備えていることを特徴とする画像処理装置。
【請求項２】
前記設定データには、少なくとも、画像拡大率データ、画像回転角度データ、画像位置データが含まれることを特徴とする請求項１に記載の画像処理装置。
【請求項３】
設定データの複写元の画像と設定データを複写先の画像の入力画像サイズ又はプリントサイズとが異なる場合、設定データの複写を禁止する手段を備えていることを特徴とする請求項１又は２に記載の画像処理装置。
【請求項４】
設定データの複写元の画像と設定データの複写先の画像のアスペクト比が異なる場合、設定データの複写を禁止する手段を備えていることを特徴とする請求項１〜３のいずれか１項に記載の画像処理装置。
【請求項５】
前記設定データを複写した後、前記領域設定手段により、複写した設定データの内容を修正可能に構成したことを特徴とする請求項１〜４のいずれか１項に記載の画像処理装置。
【請求項６】
前記領域設定手段は、複写対象の設定データを複数種類設定可能に構成され、
前記データ保存部に保存されている設定データのリストを前記画像表示部に表示させるためのリストを生成するリスト生成手段を備え、
リストの中から複写すべき設定データを選択可能に構成したことを特徴とする請求項１〜５のいずれか１項に記載の画像処理装置。
【請求項７】
設定データの内容をイメージ表示させるためのイメージ生成手段を備えていることを特徴とする請求項１〜６のいずれか１項に記載の画像処理装置。
【発明の詳細な説明】
【技術分野】
【０００１】
本発明は、デジタル画像データを入力する画像入力部と、入力された画像データを表示させる画像表示部と、表示されている画像について、プリントされる領域を設定する領域設定手段と、設定された領域の画像データ部分を指定されたプリントサイズの画像データとなるようにデータ処理を行う画像処理部とを備えた画像処理装置に関するものである。
【背景技術】
【０００２】
上記画像処理装置は、例えば、現像済みネガフィルムに形成されているコマ画像をフィルムスキャナーにより読み取ったり、デジタルカメラの記憶媒体に保存されている画像データを読み取ることで、デジタルの画像データを取得する。画像入力部を介して取得された画像データを用いて、プリント作成を行うが、プリント作成の前に画像処理等の作業が行われる。これは、取得した画像をモニター画面に表示させ、色・濃度の判定及び色・濃度の補正データの設定入力、その他の画像補正、プリント枚数、プリントサイズの設定、プリント領域の設定等が行われる。これらの一連の作業のうち、本発明は特にプリント領域の設定に関するものである。
【０００３】
プリント領域の設定とは、モニター画面に表示されている画像領域のうち、プリントすべき範囲を設定すべきものであり、領域の大きさや位置の設定（いわゆるトリミング）や画像の回転等の操作が含まれる。このようなプリント領域の設定は、画像ごとに行われていくようになっている。トリミングに関しては、下記特許文献１，２に開示されている。
【０００４】
しかしながら、個々の画像ごとにプリント領域の設定を行っていくのは作業効率が悪い。例えば、観光旅行地における記念撮影では、同一のシーンが連続的に撮影されることがある。具体的には、あるアニメキャラクターが固定された位置に配置され、このキャラクターといっしょに撮影される人物のみが異なるというシーンが連続して撮影されることがある。このように同一のシーン（同一の背景）が続く場合は、プリント領域の設定も同じ（あるいはほぼ同じ）となる。従って、同じプリント領域の設定を何度も繰り返し行うことになり、作業効率が極めて悪い状態となっている。
【特許文献１】特開２００１−３４６０３１号公報
【特許文献２】特開２００２−２９６６６１号公報
【発明の開示】
【発明が解決しようとする課題】
【０００５】
本発明は上記実情に鑑みてなされたものであり、その課題は、画像表示部に表示されている画像に対するプリント領域の設定作業を効率良く行うことができる画像処理装置を提供することである。
【課題を解決するための手段】
【０００６】
上記課題を解決するため本発明に係る画像処理装置は、
デジタル画像データを入力するための画像入力部と、
入力された画像データを表示させる画像表示部と、
表示されている画像について、プリントされる領域を設定する領域設定手段と、
設定された領域の画像データ部分を指定されたプリントサイズの画像データとなるようにデータ処理を行う画像処理部と、
前記領域設定手段により設定された設定データを保存するデータ保存部と、
前記画像とは異なる画像に対して、保存されている設定データを複写して使用可能とするデータ複写手段とを備えていることを特徴とするものである。
【０００７】
この構成による画像処理装置の作用・効果を説明する。画像入力部を介して入力された画像データは、画像表示部（モニター画面等）に表示される。この画像表示部に表示されている画像について、領域設定手段によりプリント領域を設定することができる。例えば、トリミング位置や大きさ等を設定する。設定された領域がプリントされるように、画像処理部においてデータの処理（拡大処理等）が行われる。また、設定された設定データは、データ保存部に保存される。上記画像とは異なる画像について、プリント領域の設定を行う場合、データ保存部に保存されている設定データを複写して使用することができる。従って、同じプリント領域の設定を行う場合、設定入力作業を行わずに、過去に設定したデータをそのまま使用することが可能になる。その結果、画像表示部に表示されている画像に対するプリント領域の設定作業を効率良く行うことができる画像処理装置を提供することができる。
【０００８】
本発明に係る設定データには、少なくとも、画像拡大率データ、画像回転角度データ、画像位置データが含まれることが好ましい。これらのデータは、プリント領域の設定において重要なデータであり、これらのデータを複写できるようにすることで、同じようなシーンが続く場合のデータの設定を効率良く行うことができる。
【０００９】
本発明において、設定データの複写元の画像と設定データの複写先の画像の入力画像サイズ又はプリントサイズとが異なる場合、設定データの複写を禁止する手段を備えていることが好ましい。
【００１０】
例えば、複写元画像にノーマルサイズの指定がされており、複写先画像にパノラマサイズの指定がされている場合、同じ設定データを使用すると、意図しない写真プリントが仕上がることになる。従って、かかる場合には設定データの複写を禁止するようにし、プリントの失敗を未然に防止することができる。
【００１１】
本発明において、設定データの複写元の画像と設定データを複写先の画像のアスペクト比が異なる場合、設定データの複写を禁止する手段を備えていることが好ましい。先ほどと同様に、設定データの複写を禁止するようにし、プリントの失敗を未然に防止することができる。
【００１２】
本発明において、設定データを複写した後、前記領域設定手段により、複写した設定データの内容を修正可能に構成したことが好ましい。設定データをそのまま複写した場合でも、被写体の位置などにより、プリント領域を微修正したいことがある。そこで、複写した設定データの内容を修正可能に構成することで、個々の画像に合致した設定データを設定することができる。
【００１３】
本発明に係る領域設定手段は、複写対象の設定データを複数種類設定可能に構成され、
前記データ保存部に保存されている設定データのリストを前記画像表示部に表示させるためのリストを生成するリスト生成手段を備え、
リストの中から複写すべき設定データを選択可能に構成したことが好ましい。
【００１４】
設定データを保存して利用する場合に、設定データの種類は１つだけではなく、複数設定・保存できるようにしておくことが好ましい。ある画像に設定データを複写させる場合、複数の設定データをリストとして表示させ、その中から適切なものを選択するようにする。これにより、種々のパターンの画像について対応できるようになる。
【００１５】
本発明において、設定データの内容をイメージ表示させるためのイメージ生成手段を備えていることが好ましい。設定データの内容を表示する場合に、例えば、テキストデータのみでは設定内容を直ちに理解しにくいこともある。そこで、設定データの内容をイメージ表示させることで、視覚的に容易に認識できるようになる。
【発明を実施するための最良の形態】
【００１６】
本発明に係る画像処理装置の好適な実施形態を図面を用いて説明する。図１は、画像処理装置が用いられた写真処理システムの構成を示す模式図である。
【００１７】
＜写真処理システムの構成＞
この写真処理システムは、ネガフィルム等の写真フィルムやデジタルの各種メディアから画像データを取得し、これに基づいて写真プリントを作成する機能を有する。フィルムスキャナー１は、現像済みの写真フィルムに形成されているコマ画像を読み取り、これをデジタルデータ化する。メディア入力部２は、デジタルカメラに使用される記憶媒体やその他の記憶媒体（フレキシブルディスク、ＣＤ−Ｒ、ＭＯディスク等）に記録されている画像データを取り込む機能を有する。これらフィルムスキャナー１やメディア入力部２は、画像入力部に相当する。画像データの入力方法としては、ネットワークを経由して取り込む構成を採用してもよい。
【００１８】
画像記憶部３には、画像入力部を介して取り込んだ画像データが保存される。画像記憶部３としては、ハードディスクやメモリにより構成することができる。画像記憶部３には、画像データが１オーダー単位で管理保存される。１オーダーとは、例えば、写真フィルム１本分、記憶媒体１個分の画像データにより構成されるものである。また、画像データは、その画像データにリンクする設定データや補正データと共に保存される。個々の画像データには、設定データや補正データ（これらは後述する）と共に保存される。
【００１９】
画像処理ソフトウェア４は、入力された画像データに対してプリント処理を行うのに必要な作業を行うためのソフトウェアである。表示データ生成手段４０は、入力された画像をモニター９（画像表示部に相当）の画面に表示させる機能を有する。画像は、モニター画面に、６コマ、８コマ等のコマ数で表示させることができる。かかる表示をさせるための画像表示用テンプレート保存部６には、テンプレートが多数格納されている。１コマ表示設定手段４１は、例えば、６コマ表示されている画像のうちの選択された画像について拡大表示させるための機能を有する。画像選択手段４２は、モニター画面に表示されている複数の画像のうちの１つを選択することができる機能である。選択されている画像について、オペレータによる画像処理作業が行われる。
【００２０】
領域設定手段４３は、モニター画面に表示されている画像のエリアのうち、プリント作成する領域（プリント領域）を設定する機能を有する。領域設定手段４３の主要な機能として、次の５つがあげられる。拡大縮小部４３ａは、プリント領域を拡大したり、縮小したりする機能を有する。画像回転手段４３ｂは、画像を回転させる機能を有する。画像位置調整手段４３ｃは、プリント領域の大きさは保持したまま、プリント領域の位置（上下左右）を調整する機能を有する。上下反転手段４３ｄは、画像の上下を反転させる機能を有する。写真フィルムの上下を逆にしてフィルムスキャナー１に挿入した場合、この機能を利用して正しい姿勢の画像にすることができる。左右反転手段４３ｅは、画像の左右を反転させる機能を有する。写真フィルムの表裏を逆にしてフィルムスキャナー１に挿入した場合、この機能を利用して正しい画像に修正することができる。領域設定手段４３により設定された設定データは、個々の画像ごとに保存される。なお、トリミング作業を行わなかった画像の場合でも設定データは存在し、この場合は、デフォルト値がその画像についての設定データの内容になる。
【００２１】
データ複写手段４４は、ある画像について設定した設定データを他の画像に対してそのまま複写させる機能を有する。設定データについては、オペレータの作業により入力・設定されるものであるが、画像１つ１つについて設定を行っていたのでは作業効率が悪い。そこで、他の画像で設定した設定データをそのまま利用できる場合には、そのデータを複写して利用できるようにしている。データ複写禁止手段４５は、設定データの複写を禁止する機能を有する。例えば、複写元の画像のプリントサイズと、複写先の画像のプリントサイズが異なる場合のように、設定データを複写することが好ましくないケースもある。その場合は、設定データの複写を禁止する。
【００２２】
補正データ設定手段４６は、補正データの設定を行う。例えば、モニター画面に表示されている画像の色・濃度が適切でないとオペレータが判断した場合は、色・濃度の補正データを必要に応じて入力することができる。また、赤目補正や階調補正等の特殊補正の設定も行うことができる。プリント枚数についても、変更することができる。
【００２３】
フレームデータ保存部４７は、入力した画像データと画像合成すべきフレームが多数格納されている。例えば、年賀状用のはがきをプリントする場合のはがきフォーマット（フレームの一例）が保存されている。
【００２４】
入力操作部８は、キーボードやマウス等により構成され、写真処理を行うのに必要な指令やデータの入力を行う。先ほど説明したプリント領域の設定や補正データの入力などは、この入力操作部８を介して行われる。
【００２５】
画像処理基板５は、ハードウェアにより構成される画像処理部である。画像処理基板５は、画像記憶部３に保存されている画像データと、これにリンクする設定データ及び補正データを用いて、写真プリントを作成するためのプリント用画像データを生成する。トリミングされたプリント領域が、プリントサイズの画像データとなるようにデータ処理を行う。
【００２６】
露光エンジン１０は、画像処理基板５から送信されてきたプリント用画像データを用いて、ペーパー（写真感光材料の一例）に画像を焼付露光させる。露光エンジン１０は、レーザーエンジン、ＰＬＺＴエンジン、ＣＲＴエンジン等の適宜の方式のものを使用することができる。ペーパーマガジン１１には、ペーパーがロール状に収容されており、これをペーパー搬送経路に沿って引き出すことができる。ペーパーカッター１２は、引き出されたペーパーが指定されたプリントサイズとなるようにカットする。
【００２７】
現像処理部１３は、画像が焼付露光されたペーパーの現像処理を行う。乾燥処理部１４は、現像処理されたペーパーの乾燥を行う。現像・乾燥処理が施されたペーパーは、ペーパー排出部１５から仕上がりの写真プリントとして排出される。
【００２８】
＜プレジャッジ画面の構成例＞
次に、画像入力部を介して入力された画像をモニター画面に表示させるときの構成例を図２に示す。図２は、６コマ分の画像を表示された表示例を示している。オペレータは、この画像を見ながら適切な色・濃度の写真プリントが作成できるか否かを判断する。このようなプリント前段階の作業をプレジャッジと称し、図２に示す画面をプレジャッジ画面とも称する。
【００２９】
６コマの画像のうちの作業対象となっている画像エリア２０は、太い黒枠２１で囲まれている。また、画像エリア２０の内側には、プリント領域をあらわすプリント枠２２が示されている。また、プリントサイズ表示エリア２３には、プリントサイズが表示されており、ここに表示されるプリントサイズに対応したプリント枠２２が示されることになる。図例では、プリントサイズとして「Ｃ」（クラシカルサイズ）が示されている。なお、プリント枠２２としては、指定されたプリントサイズに対応したプリント枠２２がデフォルトとして表示される。プリントサイズの指定は、例えば、プレジャッジ作業を行う前に指定することができる。ＡＰＳフィルムの場合は、プリントサイズのデータがフィルムに記録されており、これに基づいて自動的に指定することもできる。なお、プリントサイズの設定変更はプレジャッジ画面で行うことができる。ファイル名表示エリア２５には、画像のファイル名が表示される。写真フィルムのコマ画像を読み取る場合、ファイル名は自動的に付与される。
【００３０】
色・濃度補正エリア２４には、Ｙ，Ｍ，Ｃの３色の補正データを入力するためのエリアと、濃度の補正データを入力するためのエリアとが設けられている。オペレータは、表示された画像を見ながら、補正を行った方がよい場合は、必要に応じて補正データの入力を行う。ボタン２６は、特殊補正を行うための画面を起動させるためのもので、色・濃度の補正の他に赤目補正や階調補正等の特殊補正を行いたい場合は、このボタン２６をクリックすれば特殊補正のための画面に移行する。プリント枚数表示エリア２７には、画像のプリント枚数が表示されており、デフォルトとしては１枚が設定されている。
【００３１】
次に図３に示す１コマ拡大表示画面について説明する。図２において選択されている画像をダブルクリックすることで（他の方法でもよい）、図３の表示画面に移行する。この画面においてトリミング等のプリント領域の設定を行うことができる。プリント枠２２が表示されており、これは図２に示されているのと同じ位置・大きさである。このプリント領域をデフォルト値から設定変更することができる。
【００３２】
ズーム率設定エリア３０（拡大縮小手段４３ａの機能）では、プリント枠２１の大きさを拡大縮小設定することができる。図３の１コマ画面を表示させた直後では１００％の数値となっている。この数値（ズーム値）を大きくすると、画像の大きさが大きくなり、逆にすれば、画像の大きさは小さくなる。画像回転設定エリア３１では、プリント枠に対して画像を回転させることができる。撮影された画像に傾きがある場合は、この機能（画像回転手段４３ｂの機能）を利用する。傾きを微修正するときに便利である。なおボタン３２を利用すれば、−９０゜、１８０゜、＋９０゜の回転操作については、１クリックで行うことができる。位置調整カーソル３３（画像位置調整手段４３ｃの機能）によりプリント枠２２に対する画像の位置を上下左右に移動させることができる。これにより、プリントされる領域を微調整することができる。
【００３３】
左右反転ボタン３４（左右反転手段４３ｅの機能）は、画像の左右を反転させる操作を行うことができる。上下反転ボタン３５（上下反転手段４３ｄの機能）は、画像の上下を反転させる操作を行うことができる。赤目補正ボタン３５は、赤目補正を行うためのクリックボタンである。ボタン３７は、図２のボタン２６と同じ機能である。色・濃度補正エリア３８は、図２で説明したのと同じ機能を有する。
【００３４】
ＯＫボタン３９をクリックすれば、１コマ拡大画面で作業した内容が保存される。プリント領域の設定データも画像データと共に保存される。キャンセルボタン２９をクリックすれば、１コマ拡大画面で設定したデータがキャンセルされる。キャンセルすれば、プリント枠２２も元の状態に戻る。ＯＫボタン３９をクリックすれば、図２の６コマ表示画面に戻ることができ、次のコマ画像に関する作業に移行することができる。図４において、（ａ）はトリミング作業を行う前の状態を示し、（ｂ）はトリミングを行った後の状態を示す。プリント枠２１に対する画像の位置・大きさが変わっていることがわかる。プリント領域の設定が終わった後の図２の表示画面を図７を示す。トリミングを行った左上の画像のみがプリント枠２２が小さくなっていることが分かる。
【００３５】
図４では、通常の写真プリントの作成を行う場合の例を説明したが、フレームプリントを行う場合も同様の操作で行うことができる。その例を図５に示す。このフレームプリントは、はがきフォーマットであり、例えば、年賀状プリントなどが例としてあげられる。フレーム５０が示されており、（ａ）はトリミング前（ｂ）はトリミング後である。なおフレームデータ（テンプレートデータ）フレームデータ保存部７に保存されているものを読み出して使用することができ、例えば、プレジャッジ作業を行う前に指定することができる。なお、画面左下のボタン５１をクリックすれば、フレームを消すこともできる。
【００３６】
次に、設定データの複写機能を説明する。テーマパークなどでキャラクターの縫いぐるみと観光客がいっしょに写真撮影を行うような場合、カメラは決められた位置に固定され、観光客だけが入れ替わり撮影されるような状況になる。この場合は、図２にも例示するように同一シーンの画像が連続することになる。このような場合は、プリント領域を設定した設定データについても同じ（あるいはほぼ同じ）となることが多い。このような場合、同じような内容の設定を繰り返し行うこと（図３の１コマ拡大画像画面での操作を繰り返すこと）は作業効率を低下させる。そこで、設定データを複写する機能（データ複写手段４４の機能）を設けたのでこれを説明する。
【００３７】
図２の表示画面において、左下のファンクションボタン２８をクリックすると、図６に示すようなファンクション画面が表示される。この画面には、種々のファンクションが表示されており、そのうちのトリミング操作コピーと表示されているボタン５３をクリックすると、現在選択されている画像（複写元画像）の設定データがそのまま他の画像に複写される。図２において複写元画像は、左上の画像であり、複写先画像は、図２で表示されている残りの５枚の画像（あるいは、同一オーダー内の残りの画像）となる。図８は、設定データの複写がされた後の状態を示しており、６枚すべての画像のプリント枠２２が小さく（トリミングされた状態）となっている。なお、複写される設定データは、画像の回転角度データ、左右反転データ、画像の拡大率データ、画像の位置調整データのみとする。その他の、色・濃度の補正データ、赤目補正データ、クロスフィルターデータ等は上記の設定データ複写の対象には含まれない。色・濃度の補正データ等は、たとえ同一シーンの画像であったとしても個別に判定すべきものと考えられるからである。図６にも示すように、プリント領域の設定データ以外のデータについて複写したい場合には、夫々の複写用のボタンをクリックすればよい。
【００３８】
設定データの複写を行う方法は、種々考えられ、１コマ毎に複写を行ってもよいし、複数コマ単位（上記のような１画面６コマ単位）で複写を行ってもよい。
【００３９】
なお、複写元の画像の入力画像サイズと複写先の画像の入力画像サイズ、あるいは、両者の出力画像サイズ（プリントサイズ）が異なる場合には、設定データの複写を禁止する。また、両者のアスペクト比が異なる場合も複写を禁止する。プリントサイズが異なる場合として、Ｌ版サイズが指定されている画像の設定データを六つ切りサイズの画像に対して複写しても、そのままでは使用できず設定をしなおす必要がある。アスペクト比が異なる場合としては、クラシカルサイズとパノラマサイズとが例としてあげられる。入力画像サイズが異なる例としては、デジタルカメラで撮影した画像の中に高解像度の画像と低解像度の画像が混在しているようなケースである。図６の画面において、ボタン５３をグレー表示するなどして、ボタン５３をクリックしても複写がされないように構成することができる。
【００４０】
＜設定データ複写処理（プリント処理）＞
次に、設定データの複写処理を含むプリント処理の手順を図９のフローチャートにより説明する。現像済みネガフィルムをフィルムスキャナー１にセットし、コマ画像を読み取る（＃１）。読み取られた画像データは、画像記憶部３に保存される（＃２）。次に、プレジャッジ画面に移行し、順次プレジャッジを行う（＃３）。
【００４１】
まず、図３に示すように基準となるコマ画像を１つ選択して拡大表示し、プリント領域（トリミングデータ等の設定データ）の設定やその他補正データの設定等を行う（＃４）。設定操作が終了すると、図２に示す６コマ表示画面に戻り、図６に示すようなファンクション画面を立ち上げ、設定データの複写操作（ボタン５３をクリック）を行う（＃５）。これにより、基準コマ画像（複写元画像）の設定データを画像記憶部３から読み出す（＃６）。
【００４２】
読み出された設定データについて、設定データを複写しようとしている画像に対して複写可能か否かを判断する（＃７）。複写可能であれば、設定データを複写する（＃８）。複写可能でなければ、ステップ＃９に移行し、全コマについて設定データの複写が完了したか否かを判断する。完了していなければ、ステップ＃７に戻り同じ操作を繰り返す。全コマについて複写が完了した場合、設定データの修正が必要か否かを判断する（＃１０）。これは設定データをそのまま複写しても、画像内の被写体の位置や人数が複写元画像と複写先画像とで異なっていれば、微修正を行った方がよい場合もあるからである。微修正を行うような場合であっても、１から設定データを設定するのに比べると作業性が改善されることには変わりがない。なお、この時の設定データの微修正は図３で説明した設定データの設定の時と同様の作業手順で行うことができる。再トリミングが完了し（＃１１）、その他のプリント処理に必要なデータをすべて入力も完了しておれば、プリント開始ボタン５２（図２参照）をクリックすれば、プリント処理、すなわち、 画像の焼付露光等の処理が開始される（＃１２）。
【００４３】
＜第２実施形態＞
次に、第２実施形態に係る画像処理装置を説明する。図１０は、第２実施形態に係る画像処理装置を用いた写真処理システムの構成を示す模式図である。複写対象の設定データを多数設定登録することができ、その中の１つを選択して複写先画像に対して複写させることができる。図１０において、図１と異なる機能のみを説明する。画像処理ソフトウェア４において、リスト生成手段４００が設けられており、設定データのリストを画面表示させることができる。イメージ生成手段４０１は、設定データの内容をイメージ的に表示させる機能を有する。設定データの内容をテキストデータでのみ表示させると、内容を直ちに理解しにくいことがあるので、イメージ表示させることでわかりやすくしている。
【００４４】
６コマ表示画面については、図２に示すのと同様である。１コマ拡大画像表示画面は図１１に示される。図３と異なる機能のみを説明する。同じ機能については、同じ図番を付して説明を省略する。画面右下に、設定データ保存ボタン６０が設けられている。このボタン６０をクリックすることで、この１コマ画面において設定した設定データが保存される。保存される設定データは、画像の回転角度データ、左右反転データ、画像の拡大率データ、画像の位置調整データのみである。設定データ読み込みボタン６１をクリックすると、保存されている設定データの一覧がリスト表示される。
【００４５】
図１２は、リスト表示画面の構成例を示す図である。リスト表示枠６２の中に設定データＮｏ．０１〜０７が示されている。この枠内には、設定データの内容がテキストデータで表示される。ペーパーサイズは、プリントサイズ（出力画像サイズ）である。移動量（Ｘ，Ｙ）は、画像の位置調整を行ったデータを示す。先ほどの保存ボタン６０をクリックすれば、このリストに追加されることになる。削除ボタン６３をクリックすると、選択されている設定データを削除することができる。
【００４６】
なお、複写元画像と複写先画像の入力画像サイズや出力画像サイズ、アスペクト比が異なる場合は、設定データの複写ができないようにしている。具体的には、複写ができない設定データについては、リスト表示においてグレー表示させ、選択できないようにする。これにより、オペレータにより不適切な設定データが複写されることを禁止することができる。
【００４７】
イメージ表示エリア６４には、選択されている設定データの内容をイメージ表示させる。画像領域とトリミング枠（プリント領域）との関係を視覚的に確認できるので、設定データの内容を容易に把握することができる。ＯＫボタン６５をクリックすることで、選択した設定データを複写させることができる。画像を回転させた場合は、矢印などによりイメージ表示させることができる。
【００４８】
この実施形態においても、図２に示すようなファンクションボタン２８が設けられており、このボタン２８をクリックすると、図６に示すようなファンクション画面が表われる。この画面でボタン５３をクリックすれば、図１２に示すような設定データのリストを表示させることができる。
【００４９】
＜別実施形態＞
複写元画像の設定データを複写させるときの操作手順については、本実施形態によるものに限定されるものではなく、種々の変形例が考えられる。
【００５０】
プリントは、写真感光材料に画像を焼付露光させる場合だけでなく、普通紙（あるいはインクジェット用紙）に画像を形成する場合にも本発明は適用できる技術である。
【図面の簡単な説明】
【００５１】
【図１】写真処理システムの構成を示す模式図
【図２】６コマ表示のプレジャッジ画面を示す図
【図３】１コマ拡大画像を表示する画面を示す図
【図４】トリミング前後の変化を示す図
【図５】フレームプリントの場合のトリミング前後の変化を示す図
【図６】ファンクション画面の構成例を示す図
【図７】基準コマのトリミングが終了した状態の６コマ表示画面を示す図
【図８】設定データ（トリミングデータ）を複写した状態の９コマ表示画面を示す図
【図９】プリント処理の手順を示すフローチャート
【図１０】第２実施形態に係る写真処理システムの構成を示す模式図
【図１１】第２実施形態に係る１コマ拡大画像を表示する画面構成例
【図１２】設定データをリスト表示させる画面構成例を示す図
【符号の説明】
【００５２】
１      フィルムスキャナー
２      メディア入力部
３      画像記憶部
４      画像処理ソフトウェア
５      画像処理基板
９      モニター
２０    画像エリア
２２    プリント領域
３１    画像回転設定エリア
３２    ボタン
３３    位置調整カーソル
３４    上下反転ボタン
３５    左右反転ボタン
４０    表示データ生成手段
４１    １コマ表示設定手段
４２    画像選択手段
４３    領域設定手段
４３ａ  拡大縮小手段
４３ｂ  画像回転手段
４３ｃ  画像位置調整手段
４３ｄ  上下反転手段
４３ｅ  左右反転手段
４４    データ複写手段
４５    データ複写禁止手段
６０    設定データ保存ボタン
６１    読み込みボタン
６２    リスト表示枠
４００  リスト生成手段
４０１  イメージ生成手段
【図１】
2005311678.tif 000003
【図２】
2005311678.tif 000004
【図３】
2005311678.tif 000005
【図４】
2005311678.tif 000006
【図５】
2005311678.tif 000007
【図６】
2005311678.tif 000008
【図７】
2005311678.tif 000009
【図８】
2005311678.tif 000010
【図９】
2005311678.tif 000011
【図１０】
2005311678.tif 000012
【図１１】
2005311678.tif 000013
【図１２】
2005311678.tif 000014